(57)【特許請求の範囲】
【請求項１】
ケース側に設けられた非交換部品である巻取りリールに巻回された転写テープを、前記巻取りリールから離脱させることにより転写テープの交換を行う転写具であって、
前記転写テープの交換時の巻取り径を、前記巻取りリールの使用時の巻取り径よりも縮小させた径とし得る縮径機構を具備することを特徴とする転写具。
【請求項２】
前記巻取りリールの巻取り面に直接転写テープを巻回するものである請求項１記載の転写具。
【請求項３】
前記縮径機構が、転写テープを含む交換部品を取り出すための動作に連動して作動するものである請求項１または２記載の転写具。
【請求項４】
前記ケースが前記巻取りリールを使用位置から転写ヘッド近傍へ位置付けた突出位置へと動作させるアームを有するものであり、
前記縮径機構が、前記アームの動作に連動して作動するものである請求項３記載の転写具。
【請求項５】
前記縮径機構が、前記アームの動作時の前記巻取りリールと前記ケースにおける非動作部分との係り合いを利用して作動するものである請求項４記載の転写具。
【請求項６】
前記巻取りリールが巻取り面を有する複数の拡縮部材を有し、
前記縮径機構が、前記巻取り面同士の距離を互いに近接する動作を行うものである請求項１、２、３、４または５記載の転写具。
【請求項７】
前記巻取りリールが、巻回された前記転写テープの端面に接するとともに、
前記縮径機構が、前記転写テープの交換時に、当該転写テープの端面に接する添設面を相対動作させ得るものである請求項１、２、３、４、５または６記載の転写具。
【請求項８】
前記巻取りリールが添設面を有する複数の拡縮部材を有し、複数の添設面間の距離を変化させることにより前記転写テープの端面に対し相対動作するものである請求項７記載の転写具。
【請求項９】
前記ケースが、前記転写テープの端面に当接し、前記巻取りリールと同軸に回転し得る回転板を具備している請求項１、２、３、４、５、６、７または８記載の転写具。
【発明の詳細な説明】
【技術分野】
【０００１】
本発明は、転写物を塗布した転写テープを含むリフィルを交換可能に構成した転写具に関するものである。
【背景技術】
【０００２】
従来、繰出しリールに巻回保持された転写物を塗布した転写テープを転写ヘッドを介して転写対象物に押圧することにより転写物を転写し、転写後の転写テープを巻取りリールに巻取る構成を有する転写具のうち、転写テープを含む構成部品の一部を交換可能に構成した、いわゆるリフィル交換式の転写具が、種々提案されている。
【０００３】
それらの中でも近年、リフィルを構成する要素を可能な限り少なくすべく、転写具としての構成要素をケース側に構成し、リフィルとしては転写テープと、この転写テープを繰出し側及び巻取り側で巻回保持しておく部材のみとしたものも提案されている(例えば、特許文献１参照)。当該文献に開示されている転写具は、交換部品、すなわち使用後に廃棄する部品点数を少なくすることにより、環境に対する負荷を有効に低減させることを目的としているものである。
【０００４】
しかしながら、使用後に巻取られた転写テープは、転写具の使用時に転写テープが弛み無く巻取るべく一定以上の力で巻き取られていくことを鑑みると、転写テープを含む交換部品は巻取りリールの箇所で非交換部品に対し、強く係り合った状態となっている。そのような場合、リフィル交換時に巻取りリール側にある交換部品をスムーズに取り外すことが難しく、取り外すために強い力が必要であるなど、スムーズな交換の妨げになったりするということも考えられる。
【先行技術文献】
【特許文献】
【０００５】
【特許文献１】２００４−１４８７０２号公報
【発明の概要】
【発明が解決しようとする課題】
【０００６】
本発明は、上述した内容のうち、迅速且つ簡便に使用後のリフィルの取り外しを行い得る転写具を提供することを目的としている。
【課題を解決するための手段】
【０００７】
本発明は、このような目的を達成するために、次のような手段を講じたものである。
【０００８】
すなわち本発明に係る転写具は、ケース側に設けられた非交換部品である巻取りリールに巻回された転写テープを、前記巻取りリールから離脱させることにより転写テープの交換を行う転写具であって、前記転写テープの交換時に、前記転写テープの交換時の巻取り径を、前記巻取りリールの使用時の巻取り径よりも縮小させた径とし得る縮径機構を具備することを特徴とする。
【０００９】
このようなものであれば、使用時に巻取りリールと交換部品との強固な係合が、縮径機構を作動させることによって、その係合度合いを緩めることができる。そうすることによって、迅速且つ簡便な交換部品の交換を実現することができる。また、新しい交換部品を取付ける際には縮径機構により、巻取りリールの径が小さくなっているので、交換部品を係合度合いを緩めた状態に容易に取付けることができる。
【００１０】
また、交換部品の構成を簡素なものとすべく、巻取りリールの巻取り面に直接転写テープを巻回するものとした場合には、転写テープは巻取りリールに強固に巻回されるために取り外しが困難となる場合があるが、本発明に係る縮径機構によれば、巻回された転写テープが巻取りリールに与える締め付けを緩めることができる。その結果、転写テープを直接巻取りリールに巻回しても転写テープを取り外し易いものとすることができる。
【００１１】
また、転写テープの取り外しをより簡単に行い得るものとするためには、縮径機構を、転写テープを含む交換部品を取り出すための動作に連動して作動するようにすることが望ましい。
【００１２】
特に交換部品の交換作業を容易にすべく、ケースが巻取りリールを使用位置から転写ヘッド近傍へ位置付けた突出位置へと動作させるアームを有するものとした場合、縮径機構を、アームの動作に連動して作動するものであれば望ましい。
【００１３】
アームの動作と縮径機構の作動を連動させるための具体的な構成として、縮径機構を、アームの動作時の前記巻取りリールと前記ケースにおける非動作部分との係り合いを利用して縮径動作するものとしておくことが望ましい。
【００１４】
簡素な構成で巻取りリールの径を縮小させるための具体的な構成として、巻取りリールが巻取り面を有する複数の拡縮部材を設け、縮径機構を、巻取り面同士の距離を互いに近接する動作を行うようにすることが好ましい。
【００１５】  巻取りリールに巻回された転写テープの端面は、使用時に転写され得なかった転写物が前記端面からはみ出す場合がある。その場合には、巻取りリールが、巻回された転写テープの端面に接する構成のものは、転写テープの端面が巻取りリール側に付着してしまい、転写テープと巻取りリールとが外れにくくなる場合がある。そこで本発明の縮径機構を、交換部品の交換時に、当該転写テープの端面に対して相対動作し得る添設面を有するものとすれば、添設面に転写テープの端面が付着した状態が解除される。その結果、巻取りリールに巻回された転写テープをより容易に離脱させることができる。【００１６】
そして、添設面と転写テープの端面との相対動作を行うための具体的な構成としては、巻取りリールに添設面を有する複数の拡縮部材を設け、複数の添設面間の距離を変化させることにより当該添設面を転写テープの端面に対し相対動作させるものを挙げることができる。
【００１７】
また他方、前記転写テープの端面がケースの一部に接して巻取りリールの回転動作に干渉することを有効に回避するためには、ケースが、前記転写テープの端面に当接し、前記巻取リールと同軸に回転し得る回転板を備えていることが望ましい。
【発明の効果】
【００１８】
本発明によれば、使用時に巻取りリールと交換部品との強固な係合が、縮径機構を作動させることによって、その係合度合いを緩めることができる。そうすることによって、迅速且つ簡便な交換部品の交換を実現する転写具を提供することができる。
【図面の簡単な説明】
【００１９】
【図１】本発明の一実施形態に係る転写具の斜視図。
【図２】同正面図。
【図３】同平面図。
【図４】同実施形態に係るケースを開いた状態の外観図。
【図５】同正面図。
【図６】同平面図。
【図７】図５に対応する動作説明図。
【図８】図６に対応する動作説明図。
【図９】同実施形態に係る要部拡大図。
【図１０】同実施形態に係る作用説明図。
【図１１】同上。
【図１２】同上。
【図１３】同実施形態に係る要部の正面図。
【図１４】図１３に対応する動作説明図。
【図１５】同実施形態に係る要部の分解斜視図。
【図１６】同他の分解斜視図。
【図１７】同実施形態に係る要部の動作説明図。
【図１８】同上。
【図１９】同上。
【図２０】同実施形態の変形例１に係る作用説明図。
【図２１】同変形例２に係る作用説明図。
【図２２】同変形例３に係る作用説明図。
【図２３】同変形例４に係る作用説明図。
【発明を実施するための形態】
【００２０】
以下、本発明の一実施の形態について図１ないし図１９を参照して説明する。
【００２１】
本実施形態に係る転写具は、例えば、転写物である粘着剤を塗布した転写テープ２１を巻回保持し、転写ヘッド３７を介して粘着剤を紙面などの対象面に転写するためのものである。勿論、転写テープ２１に塗布する転写物は粘着剤に限られることはなく、修正剤を塗布された転写テープ２１を適用したものであってもよい。
【００２２】
この転写具は、巻取りリール３６に巻回された転写テープ２１を、巻取りリール３６から離脱させることにより転写テープ２１の交換を行う態様のものであって、転写物を転写可能に収容している非交換部品であるケース１と、ケース１に対して分離・交換可能な交換部品であるリフィル２とを有している。具体的には、転写ヘッド３７から遠い位置にある巻取りリール３６を後述するアーム３３に支持させるとともに、このアーム３３を回転動作させることにより巻取りリール３６を使用位置（Ｐ）から転写ヘッド３７近傍まで動作させた突出位置（Ｑ）として転写テープ２１を含むリフィル２の交換を行うようにしているものである。
【００２３】
リフィル２は、図４に示すように、リフィル２を、転写テープ２１と、この転写テープ２１を巻回保持している繰出しスプール２２とを有するものとしている。そして転写テープ２１は、その先端側に巻取りリール３６に直接係り合わせて固定するための環状部２１ａを形成している。換言すれば、本実施形態では、リフィル２を転写テープ２１及び繰出しスプール２２のみという構成とし、転写具の他の必須要素である繰出しリール３４、巻取りリール３６や転写ヘッド３７及びそれらを係合及び保持するための構成要素を全て非交換部品とすることにより、リフィル２の交換に係る環境への負荷を低減させ得るものとなっている。なお本実施形態では、図４及び図１０ないし図１２を除く各図面において、便宜上リフィル２の図示を省略している。
【００２４】
ここで、本実施形態に係る転写具は、転写テープ２１の交換時の巻取り径を、巻取りリール３６の使用時の巻取り径よりも縮小させた径とし得る縮径機構Ｘを具備することを特徴とするものである。
【００２５】
以下、斯かる転写具の構成のうち、主にケース１について具体的に説明する。
【００２６】
ケース１は、図１ないし図１２に示すように、繰出しリール３４、巻取りリール３６及び転写ヘッド３７等を保持しているケース本体３と、このケース本体３にヒンジｈを介して接続されたカバー４とを有している。
【００２７】
カバー４は、ケース１側にヒンジｈを介して開閉可能に構成されたカバー本体４１と、カバー本体４１の先端側に設けられて転写ヘッド３７を覆い得るキャップ４２と、巻取りリール３６と正面視重複し且つ同軸に回転し得る回転板４３と、ケース本体３側に係合し得る爪受け部４４とを有している。この回転板４３は、巻取られた転写テープ２１の端面に直接接しながら端面が回転板４３に付着、詳細には、転写テープ２１の端面からはみ出した転写し得なかった粘着剤を介して転写テープ２１の端面が回転板４３に付着しても回転板４３が巻取りリール３６と同軸に回転することにより、巻取りリール３６の回転に支障を来たさないようにするものである。
【００２８】
ケース本体３は、他の部品を保持している外側体３１と、外側体３１との間にアーム収容空間３ｓを形成した状態で取付けられる中間板３２と、この中間板３２の所定箇所に回転可能に取付けられ前記巻取りリール３６を転写ヘッド３７近傍へ位置付け得るアーム３３と、中間板３２に取付けられる繰出しリール３４と、外側体３１に取付けられ繰出しリール３４、巻取りリール３６にそれぞれ噛合する中間ギア３５と、アーム３３の先端部に取付けられる巻取りリール３６と、ケース本体３先端側に取付けられる転写ヘッド３７とを具備している。
【００２９】
外側体３１は、中間板３２を内部に取付けたカバー本体４１自体の外側を形成するものであり、カバー４側の爪受け部４４に係り合うための係合爪部３１２と、アーム３３を使用位置（Ｐ）に位置決めするために上下２箇所に設けられたアーム係止爪３１１とを有している。
【００３０】
中間板３２は当該ケース１内を厚み方向に仕切るものであり、前記ケース１が中間板３２を有する前記ケース１の外側と前記中間板３２との間に前記アーム３３を収容し得るアーム収容空間３ｓを形成しているものである。当該中間板３２は、転写ヘッド３７を取付けるために厚み方向すなわち正面視概略Ｈ字状に突出して設けられたリブであるヘッド取付部３２１と、繰出しリール３４を取付けるための繰出しリール取付部３２２と、これらヘッド取付部３２１及び繰出しリール取付部３２２との間の所定位置に設けたアーム取付部３２３と、使用位置（Ｐ）にある巻取りリール３６を受け入れるための収容凹部３２４と、収容凹部３２４の縁部において互いに正面視対向するように設けられた第１ラック３２５と第２ラック３２６と、そしてアーム３３を突出位置（Ｑ）に位置決めしておくために転写ヘッド３７より且つアーム３３収容部の開口縁において突出する突起３２７とを有している。また、第１ラック３２５と第２ラック３２６は正面視対向する位置に位置付けられているが、平面視では互いに厚み方向に異なる位置から突出することにより、後述する巻取りギア３６２及び操作ギア３６３ａにそれぞれ噛合し得るようになっている。
【００３１】
アーム３３は、基端側に設けられた回転軸３３１により中間板３２に回転可能に支持されるとともに先端側の巻取りリール取付部３３２によって巻取りリール３６を回転可能に支持しているもので、その中間位置には中間板３２から突出する突起３２７を受け入れることにより当該アーム３３を突出位置（Ｑ）に位置決めするための凹陥３３３を形成している。
【００３２】
繰出しリール３４は、リフィル２における繰出しスプール２２を取付けるためのリフィル取付部３４１と、転写動作による繰出しリール３４の回転を中間ギア３５を介して巻取りリール３６側へ伝達するための繰出しギア３４３と、繰出しギア３４３の回転速度とリフィル取付部３４１の回転速度を調整するために、これらを一定強度の摩擦を生じさせた状態で接続するクラッチ３４２とを有している。なお、一般的に繰出しリール３４回転による転写テープ２１の繰出し速度よりも巻取りリール３６による転写テープ２１の巻取り速度の方が転写テープ２１の全使用時を通じて常に早くなるように、ギア比が設定されているため、転写具使用時には常に当該クラッチ３４２は作動する。これらの構成により巻取りリール３６は転写テープ２１によって一定以上の強度で締め付けられながら当該転写テープ２１を巻取っていることになる。
【００３３】
転写ヘッド３７は、基端部を中間板３２のヘッド取付部３２１に外嵌することにより固定させるとともに、先端に樹脂性の転写ローラを回転可能に設けることにより転写テープ２１の走行をスムーズに促し得るものである。
【００３４】
巻取りリール３６は、転写テープ２１に直接掛けられて当該転写テープ２１を巻取るための拡縮部材３６１と、拡縮部材３６１を支持するとともに中間ギア３５と噛合する巻取りギア３６２と、これら拡縮部材３６１と巻取りギア３６２との間に介在する中間体３６３とを有している。また、巻取りリール３６の詳細な構成については後に詳述する。
【００３５】
しかして本実施形態に係る転写具は、アーム３３の回転中心を、転写ヘッド３７と、この転写ヘッド３７に近接した側のリールである繰出しリール３４との間に所定位置、つまり中間板３２におけるヘッド取付部３２１と、繰出しリール取付部３２２との間に設けられたアーム取付部３２３を設けた位置とすることによって、図５及び図６に示す使用位置（Ｐ）から、図７及び図８に示す突出位置（Ｑ）をとり得るものとなっている。
【００３６】
また本実施形態では、前記アーム収容空間３ｓの開口縁に、突出位置（Ｑ）に位置付けるための突起３２７を設けるとともに、前記アーム３３に前記突起３２７を収容し得る凹陥３３３を設けている。すなわち図９に示すように、突出位置（Ｑ）ではアーム３３に設けた凹陥３３３は中間板３２の位置決め凸部を収容することにより、当該突出位置（Ｑ）が安定して維持されるものとなっている。
【００３７】
ここで、斯かるアーム３３の動作を利用して交換部品であるリフィル２を取付ける態様について、図１０ないし図１２に示して説明する。
【００３８】
図１０に示すように、リフィル２の繰出しスプール２２を繰出しリール３４に装着するとともに、転写テープ２１の環状部２１ａをアーム３３を突出位置（Ｑ）とした状態で転写ヘッド３７の先方に位置付けられた巻取りリール３６へと取付ける。このとき本実施形態では、繰出しリール３４における転写テープ２１の繰出し箇所ａと、前記転写ヘッド３７の先端部ｂと、巻取りリール３６における前記転写テープ２１の巻取り箇所ｃとが略直線状をなすように位置付けられる。しかし勿論、転写テープ２１の繰出し箇所ａと巻取りリール３６における転写テープ２１の巻取り箇所ｃとがなす転写テープ２１の直線よりも、転写ヘッド３７の先端部ｂが図示上方に位置付けられたものであっても良い。これにより使用者は特にリフィル２取付けの際に転写テープ２１を転写ヘッド３７等に取り回すことなく作業を行うことができるので、簡単且つ確実にリフィル２を取付け得るようになっている。
【００３９】
そして図１１に示すようにアーム３３を使用位置（Ｐ）へ向けて回転させると転写テープ２１をそのまま転写ヘッド３７に掛けられることになり、図１２に示すように、使用位置（Ｐ）とした状態では、リフィル２は正しく装着される。そして図示しないが、同図に示す状態からカバー４を装着すれば、転写作業が可能な状態となる。また図１２に示した状態では、巻取りリール３６の径が突出位置（Ｑ）の状態に比べて拡大するので、環状部２１ａが確実に巻取りリール３６に係り合うものとなる。換言すると、アーム３３を使用位置（Ｐ）から突出位置（Ｑ）へとした状態では、巻取りリール３６の径は小さくなることになる。
【００４０】
すなわち、本実施形態に係る転写具は図１３ないし図１６に示すように転写テープ２１の交換時に、巻取りリール３６の使用時の拡開状態（Ｗ）から縮小させた径をなす縮小状態（Ｎ）とし得る縮径機構Ｘを具備することを特徴とするものである。本実施形態ではこの縮径機構Ｘを、巻取りリール３６と、アーム３３と、中間板３２に設けた第１ラック３２５、第２ラック３２６によって構成している。つまり、本実施形態の縮径機構Ｘは、アーム３３の動作に連動して作動するものとなっている。
【００４１】
以下、当該縮径機構Ｘを主に構成する巻取りリール３６の詳細な構成について説明する。
【００４２】
巻取りリール３６は上述の通り、拡縮部材３６１と巻取りギア３６２とこれらに介在する中間体３６３とを具備するものとなっている。しかして当該巻取りリール３６は、図１３ないし図１６に示すように、巻取りギア３６２と中間体３６３との相対回転動作によって、拡縮部材３６１が拡開・収縮動作を行うものである。拡縮部材３６１は、同じ形状をなす複数、本実施形態では３つの拡縮部材３６１から構成されるものとしている。巻取りギア３６２は、中間ギア３５に噛合するギア本体３６２ａと、拡縮部材３６１を互いに放射状に動作可能に支持する拡縮溝３６２ｂと、拡縮部材３６１の先端部を支持する芯状部３６２ｃとを有している。中間体３６３は、拡縮部材３６１に係り合うことで当該拡縮部材３６１同士の相対位置を位置決めするためのカム穴３６３ｂと、これらカム穴３６３ｂと拡縮部材３６１の相対位置を決定すべく中間体３６３を回動させるための操作ギア３６３ａとを有している。
【００４３】
そして拡縮部材３６１は、特に図１６に示すように、転写テープ２１の環状部２１ａに掛けられることにより転写テープ２１を直接巻取るための巻取り面３６１ａと、巻回された転写テープ２１の端面に添設する添設面３６１ｂと、添設面３６１ｂの裏面側から突出し、基端側においてカム穴３６３ｂを挿通するとともに先端部で拡縮溝３６２ｂに支持されることにより、拡縮可能に支持される被支持突起３６１ｃと、隣接する拡縮部材３６１同士を互いに接近・離間可能に係り合わせるための摺動突起３６１ｄ並びに摺動穴３６１ｅとを有している。
【００４４】  そして図１７ないし図１９に示すように、使用位置（Ｐ）にあるアーム３３を突出位置（Ｑ）へと動作させる際には、中間板３２が有する非動作部分である第１ラック３２５と第２ラック３２６に対し、巻取りギア３６２のギア本体３６２ａと、中間体３６３の操作体がそれぞれ反対方向に回動するように係り合う。そのため、巻取りギア３６２と中間体３６３は巻取りリール３６が拡開状態（Ｗ）をしている姿勢から相対回転動作をすることとなる。このとき、被支持突起３６１ｃは中間体３６３のカム穴３６３ｂの内面に付勢させることにより、拡縮部材３６１は芯状部３６２ｃすなわち巻取りリール３６の中心へ向けて収縮する動作を行う。つまりこのとき、巻取り面３６１ａが互いに近接することにより、巻取りリール３６の径が縮小する縮小状態（Ｎ）をとるものとなる。併せて、添設面３６１ｂについても互いに近接して転写テープ２１の端面に対する相対動作を行うことにより図示しない転写テープ２１の端面に対し相対移動を行うことになる。つまり、添設面３６１ｂに転写テープ２１の端面からはみ出した転写され得なかった粘着剤が付着した状態であっても当該付着状態が解除される。
【００４５】
このようにして、径が縮小された縮小状態（Ｎ）にある巻取りリール３６によって巻回された転写テープ２１の内面は巻取り面３６１ａとの間に若干の隙間が生じるとともに、前記の粘着剤による付着も解消された状態となる。その結果、使用済の転写テープ２１は巻取りリール３６からスムーズに取り外すことができる。なお、図１０ないし図１２に示したアーム３３の動作時では、上記と逆の手順を経ることによって、巻取りリール３６の径が拡大された拡開状態（Ｗ）をとることは言うまでもない。
【００４６】
以上のような構成とすることにより、本実施形態に係る転写具は、前記転写テープ２１の交換時に、巻取りリール３６の使用時の巻取り径から縮小させた径とし得る縮径機構Ｘを具備しているので、使用時に巻取りリール３６と交換部品の一部である転写テープ２１との強固な係合が、縮径機構Ｘを作動させることによってその係合度合いを緩めることができるものとなっている。その結果、巻取りリール３６は転写テープ２１に締め付けられた拡開状態（Ｗ）から開放されて、迅速且つ簡便な交換部品の交換を実現している。また、新しい交換部品を取付ける際には縮径機構Ｘにより、巻取りリール３６の径が小さくなっている縮小状態（Ｎ）をとっているので、環状部２１ａを容易に取付けることができる。
【００４７】
また本実施形態は上述の通り、巻取りリール３６の巻取り面３６１ａに直接転写テープ２１を巻回するものとしているので、リフィル２を構成する部品点数を削減しても、容易なリフィル２の交換を行い得るものとなっている。
【００４８】
そして本実施形態では、縮径機構Ｘを、転写テープ２１を含むリフィルを取り出すための動作に連動して作動するようにしているので、簡便なリフィル２の交換に一層寄与したものとなっている。
【００４９】
特に交換部品の交換作業を容易にすべく、ケース１が巻取りリール３６を転写ヘッド３７近傍へ位置付けるためのアーム３３を有するものとし、縮径機構Ｘを、アーム３３の動作に連動して作動するものとしている。
【００５０】
特に本実施形態では、アーム３３の動作時の前記巻取りリール３６と前記ケース１における非動作部分である第１ラック３２５及び第２ラック３２６との係り合いを利用して巻取りリール３６の径を変更させる動作をするものとしているので、交換部品たる転写テープ２１の交換を使用者にとって行いものとするための工程を有効に省くことで、より迅速なリフィル２の交換を行い得るものとなっている。
【００５１】
巻取りリール３６が巻取り面３６１ａを有する複数の拡縮部材３６１を設け、縮径機構Ｘを、巻取り面３６１ａ同士の距離を互いに近接する動作を行うようにする構成を適用することで、簡素な構成で巻取りリール３６の径を縮小させることを実現している。
【００５２】
特に本実施形態では、縮径機構Ｘを、交換部品の交換時に、当該転写テープ２１の端面に対して相対動作し得る添設面３６１ｂを有するものとしているので、巻取りリール３６に巻回された転写テープ２１の端面が、前記端面からはみ出した状態で巻回された使用時に転写され得なかった転写物が添設面３６１ｂに付着して当該添設面３６１ｂと転写テープ２１とが外れ難い状態を構成しても、添設面３６１ｂに転写テープ２１の端面が付着した状態が解除される。その結果、巻取りリール３６に巻回された転写テープ２１をより容易に離脱させることができるものとなっている。
【００５３】
そして、添設面３６１ｂと転写テープ２１の端面との相対動作を行うための具体的な構成として本実施形態では、上記拡縮部材３６１の動作を利用することによって、複数の添設面３６１ｂ間の距離を変化させるようにしているので、簡素な構成で上記の効果を実現したものとなっている。
【００５４】
また、転写テープ２１の端面がケース１の一部に接して巻取りリール３６の回転動作に干渉することを有効に回避するために本実施形態では、転写テープ２１の端面に当接し、巻取リールと同軸に回転し得る回転板４３を備えたものとしている。
【００５５】
以上、本発明の実施形態について説明したが、各部の具体的な構成は、上述した実施形態のみに限定されるものではなく、本発明の趣旨を逸脱しない範囲で種々変形が可能である。
【００５６】
＜変形例１＞
以下、本実施形態の各変形例について詳述するが、これら変形例について、上記実施形態の構成要素に相当する構成要素については同じ符号を付すとともに、その詳細な説明を省略するものとする。
【００５７】
本変形例に係る拡縮機構は、ケース本体３をカバー４により蓋止めする動作を利用して、巻取りリール３６の径を拡開させるとともに、再びカバー４を開ける動作により、図示しない弾性復帰手段により拡縮部材３６１の径が収縮するように構成しているものである。具体的には、拡縮部材３６１の上端側にテーパ面３６ａを設けるとともに、カバー４の内面に備わる回転板４３の中央部の突出部４３ａの突出高さ並びに位置を適宜調整しておくことによって、突出部４３ａにテーパ面３６ａを押圧させて、拡縮部材３６１の相対距離を離間させる。その結果、使用時には巻取りリール３６の径は拡開した状態となり、カバー４を開けたときには、上記の弾性復帰により巻取りリール３６の径が縮径するものである。このようなものであっても、上記実施形態と同様にリフィル２の交換を迅速且つ簡便に行い得るものとなっている。
【００５８】
＜変形例２＞
上記実施形態では転写テープ２１の先端に設けた環状部２１ａを巻取りリール３６の巻取り面３６１ａの外側に掛け回した態様を図示したが、図２１に示す本変形例のように、拡縮部材３６１の内側に係り合わせたり、任意の一の拡縮部材３６１に掛けることによって転写テープ２１を巻取りリール３６に係り合わせたりするものとしても良い。
【００５９】
＜変形例３＞
また勿論、上記実施形態では転写テープ２１の先端に環状部２１ａを設けることにより巻取りリール３６に転写テープ２１を取付けたものとしたが、図２２に示す本変形例ように、転写テープ２１とは別体に構成された環状部材２３を巻取りリール３６に適宜係り合わせることによって転写テープ２１を巻取りリール３６へ取付けるものとしても良い。
【００６０】
＜変形例４＞
さらに他方、図２３に示す本変形例のように、転写テープ２１の先端を単に転写テープ２１を切断した切断縁２１ｂとしても良い。このような場合には、同図に示すように、例えば巻取りリール３６の一部、図示では拡縮部材３６１にスリット３６１ｓを設けることにより、当該スリット３６１ｓに切断縁２１ｂを挟持させる構成とすれば良い。
【００６１】
また本発明は上記実施形態並びに変形例に開示したものに限られることはなく、例えばケースの一部にレバーやボタン或いはスイッチを設け、当該スイッチを操作することにより、巻取りリールの径が縮小し得る縮径機構Ｘとしても良い。また、縮径機構Ｘとともに、ボタンやスライダ等の操作によって転写テープの巻取りリールからの離間を誘発する離間誘発機構を設けても良い。
【００６２】
その他、各部の具体的構成についても上記実施形態に限られるものではなく、本発明の趣旨を逸脱しない範囲で種々変形が可能である。
【産業上の利用可能性】
【００６３】
本発明は転写物を塗布した転写テープを含むリフィルを交換可能に構成した転写具として利用することができる。
【符号の説明】
【００６４】
１…ケース
２…交換部品（リフィル）
２１…転写テープ
３２５…非動作部分（第１ラック）
３２６…非動作部分（第２ラック）
３３…アーム
３６…巻取りリール
３６１…拡縮部材
３６１ａ…巻取り面
３６１ｂ…添設面
３７…転写ヘッド
４３…回転板
Ｘ…縮径機構
【図１】
0005521223.tif 000002
【図２】
0005521223.tif 000003
【図３】
0005521223.tif 000004
【図４】
0005521223.tif 000005
【図５】
0005521223.tif 000006
【図６】
0005521223.tif 000007
【図７】
0005521223.tif 000008
【図８】
0005521223.tif 000009
【図９】
0005521223.tif 000010
【図１０】
0005521223.tif 000011
【図１１】
0005521223.tif 000012
【図１２】
0005521223.tif 000013
【図１３】
0005521223.tif 000014
【図１４】
0005521223.tif 000015
【図１５】
0005521223.tif 000016
【図１６】
0005521223.tif 000017
【図１７】
0005521223.tif 000018
【図１８】
0005521223.tif 000019
【図１９】
0005521223.tif 000020
【図２０】
0005521223.tif 000021
【図２１】
0005521223.tif 000022
【図２２】
0005521223.tif 000023
【図２３】
0005521223.tif 000024